(57)【要約】 【課題】内視鏡検査前における検査準備情報の提供に関する利便性を向上させ、且つ内視鏡検査に対する患者の不安を軽減させる。【解決手段】メディアＭに記憶された患者用仮想内視鏡ビューワプログラム１５２を読み込んだ汎用ＰＣ端末８０は、メディアＭに記憶された検査準備情報と断層画像データファイル群（内視鏡検査対象患者の検査対象部位の複数枚分の断層画像データ）とを読み出す。汎用ＰＣ端末８０は、読み出した断層画像データに基づいて仮想内視鏡画像を生成する。汎用ＰＣ端末８０は、検査準備情報と生成した仮想内視鏡画像とを画面に表示させる。【選択図】図１
2010069041.tif 000002
【特許請求の範囲】
【請求項１】
内視鏡検査対象患者に提供する検査準備情報と、当該内視鏡検査対象患者の検査対象部位を立体的に示す仮想内視鏡画像と、が予め記憶されている可搬型記憶媒体であって、
コンピュータを、
前記検査準備情報と前記仮想内視鏡画像とを読み出す読出手段、
当該読み出した検査準備情報と仮想内視鏡画像とを表示手段に表示させる制御手段、
として機能させるためのプログラムが記憶されたコンピュータ読み取り可能な可搬型記憶媒体。
【請求項２】
内視鏡検査対象患者に提供する検査準備情報と、当該内視鏡検査対象患者の検査対象部位の複数枚分の断層画像データと、が予め記憶されている可搬型記憶媒体であって、
コンピュータを、
前記検査準備情報と前記断層画像データとを読み出す読出手段、
当該読み出した断層画像データに基づいて前記内視鏡検査対象患者の検査対象部位を立体的に示す仮想内視鏡画像を生成する生成手段、
前記読み出した検査準備情報と前記生成された仮想内視鏡画像とを表示手段に表示させる制御手段、
として機能させるためのプログラムが記憶されたコンピュータ読み取り可能な可搬型記憶媒体。
【請求項３】
前記検査準備情報は、前記仮想内視鏡画像に対応する読影レポート情報を含む、
請求項１又は２に記載の可搬型記憶媒体。
【請求項４】
コンピュータ読み取り可能な可搬型記憶媒体に、内視鏡検査対象患者に提供する検査準備情報と、当該内視鏡検査対象患者の検査対象部位を立体的に示す仮想内視鏡画像と共に記憶されたプログラムであって、
コンピュータを、
前記検査準備情報と前記仮想内視鏡画像とを読み出す読出手段、
当該読み出した検査準備情報と仮想内視鏡画像とを表示手段に表示させる制御手段、
として機能させるためのプログラム。
【請求項５】
コンピュータ読み取り可能な可搬型記憶媒体に、内視鏡検査対象患者に提供する検査準備情報と、当該内視鏡検査対象患者の検査対象部位の複数枚分の断層画像データと共に記憶されたプログラムであって、
コンピュータを、
前記検査準備情報と前記断層画像データとを読み出す読出手段、
当該読み出した断層画像データに基づいて前記内視鏡検査対象患者の検査対象部位を立体的に示す仮想内視鏡画像を生成する生成手段、
前記読み出した検査準備情報と前記生成された仮想内視鏡画像とを表示手段に表示させる制御手段、
として機能させるためのプログラム。
【請求項６】
前記検査準備情報は、前記仮想内視鏡画像に対応する読影レポート情報を含む、
請求項４又は５に記載のプログラム。
【請求項７】
内視鏡検査対象患者に提供する検査準備情報と、当該内視鏡検査対象患者の検査対象部位を立体的に示す仮想内視鏡画像と、をコンピュータ読み取り可能な可搬型記憶媒体に書き込む書込制御手段を備える情報処理装置であって、
前記書込制御手段は、
コンピュータを、
前記検査準備情報と前記仮想内視鏡画像とを読み出す読出手段、
当該読み出した検査準備情報と仮想内視鏡画像とを表示手段に表示させる制御手段、
として機能させるためのプログラムを更に前記可搬型記憶媒体に書き込む情報処理装置。
【請求項８】
内視鏡検査対象患者に提供する検査準備情報と、当該内視鏡検査対象患者の検査対象部位の複数枚分の断層画像データと、をコンピュータ読み取り可能な可搬型記憶媒体に書き込む書込制御手段を備える情報処理装置であって、
前記書込制御手段は、
コンピュータを、
前記検査準備情報と前記断層画像データとを読み出す読出手段、
当該読み出した断層画像データに基づいて前記内視鏡検査対象患者の検査対象部位を立体的に示す仮想内視鏡画像を生成する生成手段、
前記読み出した検査準備情報と前記生成された仮想内視鏡画像とを表示手段に表示させる制御手段、
として機能させるためのプログラムを更に前記可搬型記憶媒体に書き込む情報処理装置。
【請求項９】
前記検査準備情報は、前記仮想内視鏡画像に対応する読影レポート情報を含む、
請求項７又は８に記載の情報処理装置。
【発明の詳細な説明】
【技術分野】
【０００１】
本発明は、可搬型記憶媒体、プログラム及び情報処理装置に関する。
【背景技術】
【０００２】
多くの医療の現場において、情報のデジタル化が図られている。例えば、ＣＴ（Computed Tomography）装置、ＭＲＩ（Magnetic Resonance Imaging）装置等の放射線撮影装置は、患者の診断対象部位の撮影を行い、断層画像データを生成する。そして、放射線撮影装置は、ＤＩＣＯＭ（Digital Imaging and Communications in Medicine）規格に則り、断層画像データに付帯情報を付帯させる。
【０００３】
ところで、医療の現場では、大腸癌の早期発見等の目的で内視鏡検査によるスクリーニングが行われている。スクリーニングは、患者にとって負担の大きい検査である。なぜなら、スクリーニングは、患者にとって一日がかりの検査となってしまうからである。また、内視鏡検査は、身体内への侵襲的な行為であり大腸穿孔等をきたす危険性があるからである。
【０００４】
そこで、近年、内視鏡検査に先立ち、仮想内視鏡ビューワ装置を用いた読影や診断が行われている。仮想内視鏡ビューワ装置は、放射線撮影装置により生成された、内視鏡検査対象患者の検査対象部位の複数枚分の断層画像データに基づいて、３次元ボリュームデータを構築する。仮想内視鏡ビューワ装置は、この３次元ボリュームデータに基づいて、あたかも内視鏡装置で患者の身体を撮影して得られた内視鏡画像のように見える３次元ボリューム画像（仮想内視鏡画像）を生成して表示する。
【０００５】
仮想内視鏡画像を表示するものとして、以下の技術が開示されている。即ち、画像処理装置（仮想内視鏡ビューワ装置）は、複数枚分の断層画像データに基づいて３次元ボリュームデータを構築する。そして、画像処理装置は、ボリュームレンダリング（Volume Rendering）の手法を用いて、３次元ボリュームデータから仮想内視鏡画像を生成する。画像処理装置は、生成した仮想内視鏡画像と、内視鏡装置で撮影された実際の内視鏡画像との同期を取って、並列して又は重ね合わせてこれらの画像を表示する（特許文献１参照）。
【０００６】
近年、仮想内視鏡画像の基となる複数枚分の断層画像データは、医療施設内に設置されている装置のハードディスクの他に、ＣＤ―Ｒ等のメディア（可搬型記憶媒体）にも記憶される。
【０００７】
メディアには、ＩＨＥ（Integrating Healthcare Enterprise）およびＩＨＥ−Ｊ（Integrating Healthcare Enterprise - Japan）のＰＤＩ（Portable Data for Imaging）によって定められたデータ構造に則って、断層画像データが書き込まれる。そのため、異なる医療施設間や、異なるベンダのシステム間において、この断層画像データのデータ移送、データ参照が可能になっている。
【特許文献１】特開２００６−６１２７４号公報
【発明の開示】
【発明が解決しようとする課題】
【０００８】
内視鏡検査によるスクリーニングを行う場合、患者は、事前に内視鏡検査の準備（食事の制限、下剤の服用等）について医師から説明を受ける。しかし、患者は、病院から帰宅後に準備の内容について忘れてしまった場合、再度説明を受けることができず、不便であった。
【０００９】
また、前述の通り、内視鏡検査によるスクリーニングは患者にとって負担の大きい検査である。よって、患者は、内視鏡検査に対して不安を抱く場合が多い。そのため、患者は、帰宅後に自宅の汎用端末上で、検査当日に撮影されるであろう自身の仮想内視鏡画像を閲覧したいという要望を持つ場合がある。
【００１０】
本発明は、上述したような課題に鑑みて為されたものであり、その目的とするところは、内視鏡検査前における検査準備情報の提供に関する利便性を向上させ、且つ内視鏡検査に対する患者の不安を軽減させることである。
【課題を解決するための手段】
【００１１】
上記の課題を解決するために、請求項１に記載の発明は、
内視鏡検査対象患者に提供する検査準備情報と、当該内視鏡検査対象患者の検査対象部位を立体的に示す仮想内視鏡画像と、が予め記憶されているコンピュータ読み取り可能な可搬型記憶媒体であって、
コンピュータを、
前記検査準備情報と前記仮想内視鏡画像とを読み出す読出手段、
当該読み出した検査準備情報と仮想内視鏡画像とを表示手段に表示させる制御手段、
として機能させるためのプログラムが記憶されている。
【００１２】
請求項２に記載の発明は、
内視鏡検査対象患者に提供する検査準備情報と、当該内視鏡検査対象患者の検査対象部位の複数枚分の断層画像データと、が予め記憶されているコンピュータ読み取り可能な可搬型記憶媒体であって、
コンピュータを、
前記検査準備情報と前記断層画像データとを読み出す読出手段、
当該読み出した断層画像データに基づいて前記内視鏡検査対象患者の検査対象部位を立体的に示す仮想内視鏡画像を生成する生成手段、
前記読み出した検査準備情報と前記生成された仮想内視鏡画像とを表示手段に表示させる制御手段、
として機能させるためのプログラムが記憶されている。
【００１３】
請求項３に記載の発明は、請求項１又は２に記載の発明において、
前記検査準備情報は、前記仮想内視鏡画像に対応する読影レポート情報を含む。
【００１４】
請求項４に記載の発明は、
コンピュータ読み取り可能な可搬型記憶媒体に、内視鏡検査対象患者に提供する検査準備情報と、当該内視鏡検査対象患者の検査対象部位を立体的に示す仮想内視鏡画像と共に記憶されたプログラムであって、
コンピュータを、
前記検査準備情報と前記仮想内視鏡画像とを読み出す読出手段、
当該読み出した検査準備情報と仮想内視鏡画像とを表示手段に表示させる制御手段、
として機能させる。
【００１５】
請求項５に記載の発明は、
コンピュータ読み取り可能な可搬型記憶媒体に、内視鏡検査対象患者に提供する検査準備情報と、当該内視鏡検査対象患者の検査対象部位の複数枚分の断層画像データと共に記憶されたプログラムであって、
コンピュータを、
前記検査準備情報と前記断層画像データとを読み出す読出手段、
当該読み出した断層画像データに基づいて前記内視鏡検査対象患者の検査対象部位を立体的に示す仮想内視鏡画像を生成する生成手段、
前記読み出した検査準備情報と前記生成された仮想内視鏡画像とを表示手段に表示させる制御手段、
として機能させる。
【００１６】
請求項６に記載の発明は、請求項４又は５に記載の発明において、
前記検査準備情報は、前記仮想内視鏡画像に対応する読影レポート情報を含む。
【００１７】
請求項７に記載の発明は、
内視鏡検査対象患者に提供する検査準備情報と、当該内視鏡検査対象患者の検査対象部位を立体的に示す仮想内視鏡画像と、をコンピュータ読み取り可能な可搬型記憶媒体に書き込む書込制御手段を備える情報処理装置であって、
前記書込制御手段は、
コンピュータを、
前記検査準備情報と前記仮想内視鏡画像とを読み出す読出手段、
当該読み出した検査準備情報と仮想内視鏡画像とを表示手段に表示させる制御手段、
として機能させるためのプログラムを更に前記可搬型記憶媒体に書き込む。
【００１８】
請求項８に記載の発明は、
内視鏡検査対象患者に提供する検査準備情報と、当該内視鏡検査対象患者の検査対象部位の複数枚分の断層画像データと、をコンピュータ読み取り可能な可搬型記憶媒体に書き込む書込制御手段を備える情報処理装置であって、
前記書込制御手段は、
コンピュータを、
前記検査準備情報と前記断層画像データとを読み出す読出手段、
当該読み出した断層画像データに基づいて前記内視鏡検査対象患者の検査対象部位を立体的に示す仮想内視鏡画像を生成する生成手段、
前記読み出した検査準備情報と前記生成された仮想内視鏡画像とを表示手段に表示させる制御手段、
として機能させるためのプログラムを更に前記可搬型記憶媒体に書き込む。
【００１９】
請求項９に記載の発明は、請求項７又は８に記載の発明において、
前記検査準備情報は、前記仮想内視鏡画像に対応する読影レポート情報を含む。
【発明の効果】
【００２０】
請求項１、４、７に記載の発明によれば、可搬型記憶媒体に記憶された本発明におけるプログラムを読み込んだコンピュータは、この可搬型記憶媒体に記憶された検査準備情報と仮想内視鏡画像とを読み出す。コンピュータは、読み出した検査準備情報と仮想内視鏡画像とを表示手段に表示させる。
【００２１】
そのため、内視鏡検査対象患者は、内視鏡検査の前日等に、自宅等に設置されている汎用端末で、検査準備情報や仮想内視鏡画像を閲覧することができる。よって、内視鏡検査前における検査準備情報の提供に関する利便性を向上させ、且つ内視鏡検査に対する患者の不安を軽減させることができる。
【００２２】
請求項２、５、８に記載の発明によれば、可搬型記憶媒体に記憶された本発明におけるプログラムを読み込んだコンピュータは、この可搬型記憶媒体に記憶された検査準備情報と断層画像データとを読み出す。コンピュータは、読み出した断層画像データに基づいて仮想内視鏡画像を生成する。コンピュータは、検査準備情報と生成した仮想内視鏡画像とを表示手段に表示させる。
【００２３】
そのため、内視鏡検査対象患者は、内視鏡検査の前日等に、自宅等に設置されている汎用端末で、検査準備情報や仮想内視鏡画像を閲覧することができる。よって、内視鏡検査前における検査準備情報の提供に関する利便性を向上させ、且つ内視鏡検査に対する患者の不安を軽減させることができる。更に、検査対象部位の断層画像データも得ることができる。
【００２４】
請求項３、６、９に記載の発明によれば、内視鏡検査対象患者は、自宅で、仮想内視鏡画像の読影レポートを参照することができる。
【発明を実施するための最良の形態】
【００２５】
以下、図面を参照して本発明の一実施形態について説明する。
【００２６】
[医用画像システムのシステム構成]
図１に、医用画像システム１のシステム構成を示す。医用画像は、断層画像、内視鏡画像を含む。
【００２７】
図１に示すように、医用画像システム１は、Ａ病院医用画像システム１００と、自宅に設置された汎用ＰＣ端末８０とから構成されている。
【００２８】
Ａ病院医用画像システム１００は、ワークステーション１０と、ＲＩＳ２０と、放射線画像サーバ３０と、モダリティ４０と、ＥＩＳ５０と、内視鏡画像サーバ６０と、内視鏡装置７０と、図示しないその他の装置とから構成されている。上記の各装置やシステムは通信ネットワークＮを介してデータ通信可能に接続されている。
【００２９】
ＲＩＳ２０は、Ａ病院の放射線科における診療予約、診断結果のレポート、実績管理、材料在庫管理等の情報管理を行う。ＲＩＳ２０は、Ａ病院医用画像システム１００を構成する図示しない電子カルテシステムから受信した放射線検査オーダ情報をモダリティ４０及び放射線画像サーバ３０に送信する。
【００３０】
モダリティ４０は、ＲＩＳ２０から受信した放射線検査オーダ情報に従って、患者の診断対象部位の撮影を行い、断層画像データを生成する放射線撮影装置である。また、モダリティ４０は、前記放射線検査オーダ情報に基づいて、前記断層画像データに関する付帯情報を生成する。そして、モダリティ４０は、ＤＩＣＯＭ規格に則り、断層画像データに付帯情報を付帯させ、断層画像データのファイル（断層画像データファイル）として放射線画像サーバ３０に送信する。断層画像データファイルには、１枚分の断層画像データが格納されている。モダリティ４０としては、ＣＴ装置、ＭＲＩ装置等の断層画像を撮影する放射線撮影装置が適用可能である。
【００３１】
図２に、断層画像データファイルのデータ構成を示す。図２に示すように、断層画像データファイルには、断層画像データと、断層画像データに付帯する付帯情報とが格納されている。
【００３２】
付帯情報は、患者ＩＤ、患者名、性別、生年月日等の患者に関する情報、検査を識別する検査インスタンスＵＩＤ、検査日、検査時刻、受付番号、読影医、検査部位等の検査に関する情報を含む。
【００３３】
図１に戻り、放射線画像サーバ３０は、モダリティ４０において生成された断層画像データファイルを記憶し、管理する（記憶管理する）。放射線画像サーバ３０としてＰＡＣＳ（Picture Archiving and Communication System）等が適用可能である。
【００３４】
放射線画像サーバ３０は、外部機器から断層画像データ取得要求を受信した場合、当該取得要求に応じた断層画像データファイルを当該外部機器に送信（提供）する。
【００３５】
ＥＩＳ５０は、Ａ病院の消化器内科における診療予約、診断結果のレポート、実績管理、材料在庫管理等の情報管理を行う。ＥＩＳ５０は、Ａ病院医用画像システム１００を構成する図示しない電子カルテシステムから受信した内視鏡検査オーダ情報を内視鏡装置７０及び内視鏡画像サーバ６０に送信する。
【００３６】
内視鏡装置７０は、ＥＩＳ５０から受信した内視鏡検査オーダ情報に従って、患者の診断対象部位の撮影を行い、内視鏡画像データを生成する撮影装置（モダリティ）である。また、内視鏡装置７０は、前記内視鏡検査オーダ情報に基づいて、前記内視鏡画像データに関する付帯情報を生成する。そして、内視鏡装置７０は、ＤＩＣＯＭ規格に則り、前記内視鏡画像データに当該付帯情報を付帯させ、内視鏡画像データのファイル（内視鏡画像データファイル）として内視鏡画像サーバ６０に送信する。
【００３７】
内視鏡画像サーバ６０は、内視鏡装置７０において生成された内視鏡画像データファイルを記憶し、管理する（記憶管理する）。内視鏡画像サーバ６０としてＰＡＣＳ等が適用可能である。
【００３８】
内視鏡画像サーバ６０は、外部機器から内視鏡画像データ取得要求を受信した場合、当該取得要求に応じた内視鏡画像データファイルを当該外部機器に送信（提供）する。
【００３９】
ワークステーション１０は、高詳細モニタを有し、当該高詳細モニタに医用画像を表示する情報処理装置である。ワークステーション１０は、ユーザの操作による操作信号等に基づき、放射線画像サーバ３０に断層画像データ取得要求を送信し、当該取得要求に応じた断層画像データファイルを取得する。ワークステーション１０は、当該断層画像データファイルに基づきモニタに断層画像を表示する。
【００４０】
ワークステーション１０は、ユーザの操作による操作信号等に基づき、内視鏡画像サーバ６０に内視鏡画像データ取得要求を送信し、当該取得要求に応じた内視鏡画像データファイルを取得する。ワークステーション１０は、当該内視鏡画像データファイルに基づきモニタに内視鏡画像を表示する。
【００４１】
ワークステーション１０は、ユーザの操作による操作信号等に基づき、モニタに表示された医用画像の読影結果である読影レポートのデータを生成する。
【００４２】
ワークステーション１０は、仮想内視鏡ビューワ機能を有する。また、ワークステーション１０は検査準備情報の生成を行う。検査準備情報とは、内視鏡検査の検査概要、検査前日及び当日に患者がするべきこと等を現した情報である。
【００４３】
ワークステーション１０は、放射線画像サーバ３０から取得した断層画像データファイルを、ＩＨＥおよびＩＨＥ−ＪのＰＤＩによって定められたデータ構造に則って、ＣＤ−ＲやＤＶＤ−Ｒ等のメディアＭ（可搬型記憶媒体）に書き込む。また、ワークステーション１０は、当該断層画像データファイルと共に、検査準備情報や患者用仮想内視鏡ビューワプログラム１５２等をメディアＭに書き込む。患者用仮想内視鏡ビューワプログラム１５２については後述する。
【００４４】
[放射線画像サーバの機能的構成]
図３に、放射線画像サーバ３０の機能的構成を示す。
【００４５】
図３に示すように、放射線画像サーバ３０は、制御部３１、操作部３２、表示部３３、通信部３４、記憶部３５を備えて構成され、各部はバス３６により接続されている。
【００４６】
制御部３１は、ＣＰＵ（Central Processing Unit）、ＲＡＭ（Random Access Memory）等から構成され、放射線画像サーバ３０の各部の処理動作を統括的に制御する。具体的には、ＣＰＵは、操作部３２から入力される操作信号又は通信部３４により受信される指示信号に応じて、記憶部３５に記憶されている各種処理プログラムを読み出し、ＲＡＭ内に形成されたワークエリアに展開し、当該プログラムとの協働により各種処理を行う。
【００４７】
操作部３２は、カーソルキー、数字入力キー、及び各種機能キー等を備えたキーボードと、マウス等のポインティングデバイスを備えて構成され、キーボードに対するキー操作やマウス操作により入力された操作信号を制御部３１に出力する。
【００４８】
表示部３３は、ＬＣＤ（Liquid Crystal Display）により構成され、制御部３１から入力される表示データに基づいて各種画面を表示する。
【００４９】
通信部３４は、ＬＡＮ（Local Area Network）アダプタ、ルータ、ＴＡ（Terminal Adapter）等を備え、通信ネットワークＮを介して接続されたワークステーション１０、ＲＩＳ２０、モダリティ４０等の外部機器との間でデータの送受信を行う。
【００５０】
記憶部３５は、ハードディスク等から構成され、制御プログラム、当該プログラムの実行に必要なパラメータやファイル等を記憶している。また、記憶部３５は、モダリティ４０により生成された一又は複数の断層画像データファイルを記憶する。また、記憶部３５は、断層画像データファイルを管理するデータベースプログラムを記憶する（図示せず）。
【００５１】
制御部３１は、記憶部３５に記憶されたデータベースプログラムと協働して、記憶部３５に記憶されている断層画像データファイルを管理する。
【００５２】
制御部３１は、通信部３４を介して、外部機器から断層画像データファイルを受信すると、この断層画像データファイルを記憶部３５に記憶させ、データベースに登録する（管理する）。
【００５３】
制御部３１は、通信部３４を介して、外部機器から断層画像データ取得要求を受信すると、この断層画像データ取得要求に応じた断層画像データファイルを記憶部３５から読み出す。そして、制御部３１は、通信部３４を介して、読み出した断層画像データファイルを外部機器に送信（提供）する。
【００５４】
[ワークステーションの機能的構成]
図４に、ワークステーション１０の機能的構成を示す。
【００５５】
図４に示すように、ワークステーション１０は、制御部１１、操作部１２、表示部１３、通信部１４、記憶部１５、メディアドライブ１６を備えて構成され、各部はバス１７により接続されている。
【００５６】
制御部１１は、ＣＰＵ、ＲＡＭ等から構成され、ワークステーション１０の各部の処理動作を統括的に制御する。具体的には、ＣＰＵは、操作部１２から入力される操作信号又は通信部１４により受信される指示信号に応じて、記憶部１５に記憶されている各種処理プログラムを読み出し、ＲＡＭ内に形成されたワークエリアに展開し、当該プログラムとの協働により各種処理を行う。
【００５７】
操作部１２は、カーソルキー、数字入力キー、及び各種機能キー等を備えたキーボードと、マウス等のポインティングデバイスを備えて構成され、キーボードに対するキー操作やマウス操作により入力された操作信号を制御部１１に出力する。
【００５８】
表示部１３は、ＬＣＤにより構成され、制御部１１から入力される表示データに基づいて各種画面を表示する高詳細モニタである。
【００５９】
通信部１４は、ＬＡＮアダプタ、ルータ、ＴＡ等を備え、通信ネットワークＮを介して接続された放射線画像サーバ３０、内視鏡画像サーバ６０等の外部機器との間でデータの送受信を行う。
【００６０】
記憶部１５は、ハードディスク等から構成され、制御プログラム、当該プログラムの実行に必要なパラメータやファイル等を記憶している。また、記憶部１５は、医師用仮想内視鏡ビューワプログラム１５１、患者用仮想内視鏡ビューワプログラム１５２を記憶している。記憶部１５は、制御部１１によって生成された読影レポート情報ファイルを記憶する。
【００６１】
メディアドライブ１６は、制御部１１からの制御信号に基づき、メディアＭに各種データを書き込む。また、メディアドライブ１６は、制御部１１からの制御信号に基づき、メディアＭに記憶されているデータを読み出す。
【００６２】
制御部１１は、操作部１２からの操作信号に基づいて、放射線画像サーバ３０に断層画像データ取得要求を通信部１４を介して送信し、当該取得要求に応じた断層画像データファイルを受信（取得）する。また、制御部１１は、操作部１２からの操作信号に基づいて、内視鏡画像サーバ６０に断層画像データ取得要求を通信部１４を介して送信し、当該取得要求に応じた断層画像データファイルを受信（取得）する。
【００６３】
制御部１１は、医師用仮想内視鏡ビューワプログラム１５１と協働して、放射線画像サーバ３０から取得した複数の断層画像データファイル（断層画像データファイル群）から複数枚分の連続した断層画像データを読み出す。制御部１１は、ボクセル表現の手法を用い、複数枚分の連続した断層画像データに基づいて、患者の身体に相当する画像データを小さい立方体（ボクセルデータ）の集合で表す。制御部１１は、各ボクセルデータと当該ボクセルデータの放射線吸収量のデータとに基づいて、患者の身体に相当する３次元ボリュームデータを構築する。そして、制御部１１は、ボリュームレンダリング等の手法を用いて、３次元ボリュームデータに基づいて仮想内視鏡画像を生成し、当該仮想内視鏡画像を表示部１３に表示させる。つまり、制御部１１は、医師用仮想内視鏡ビューワプログラム１５１と協働して、仮想内視鏡ビューワ機能を実現する。
【００６４】
制御部１１は、医師用仮想内視鏡ビューワプログラム１５１と協働して、操作部１２からの操作信号に基づいて、表示部１３に表示された仮想内視鏡画像に対する読影レポートの情報（読影レポート情報）を生成し、読影レポート情報ファイルとして記憶部１５に記憶させる。
【００６５】
制御部１１は、医師用仮想内視鏡ビューワプログラム１５１と協働して、操作部１２からの操作信号に基づいて、表示部１３に表示された仮想内視鏡画像に関する内視鏡検査についての検査準備情報を生成する。この検査準備情報には、表示部１３に表示された仮想内視鏡画像に対する読影レポート情報が含まれる。
【００６６】
制御部１１は、操作部１２からの操作信号等に基づいて、放射線画像サーバ３０から取得した断層画像データファイル群、生成した検査準備情報、患者用仮想内視鏡ビューワプログラム１５２をメディアドライブ１６を介してメディアＭに書き込む。
【００６７】
図５に、このメディアＭが記憶するデータを示す。メディアＭは、断層画像データファイル群、検査準備情報及び患者用仮想内視鏡ビューワプログラム１５２を記憶する。
【００６８】
患者用仮想内視鏡ビューワプログラム１５２とは、当該プログラムを読み込むコンピュータを主に以下のように機能させるためのプログラムである。即ち、このコンピュータは、メディアＭに記憶された複数枚分の断層画像データに基づいて３次元ボリュームデータを構築し、内視鏡検査による内視鏡画像に相当する３次元ボリューム画像（仮想内視鏡画像）と前記内視鏡検査についての検査準備情報とを画面に表示する。
【００６９】
[汎用ＰＣ端末の機能的構成]
図６に、汎用ＰＣ端末８０の機能的構成を示す。
【００７０】
図６に示すように、汎用ＰＣ端末８０は、制御部８１、操作部８２、表示部８３、記憶部８４、メディアドライブ８５を備えて構成され、各部はバス８６により接続されている。
【００７１】
制御部８１は、ＣＰＵ、ＲＡＭ等から構成され、汎用ＰＣ端末８０の各部の処理動作を統括的に制御する。具体的には、ＣＰＵは、操作部８２から入力される操作信号に応じて、記憶部８４に記憶されている各種処理プログラムを読み出し、ＲＡＭ内に形成されたワークエリアに展開し、当該プログラムとの協働により各種処理を行う。
【００７２】
操作部８２は、カーソルキー、数字入力キー、及び各種機能キー等を備えたキーボードと、マウス等のポインティングデバイスを備えて構成され、キーボードに対するキー操作やマウス操作により入力された操作信号を制御部８１に出力する。
【００７３】
表示部８３は、ＬＣＤにより構成され、制御部８１から入力される表示データに基づいて各種画面を表示する。
【００７４】
記憶部８４は、ハードディスク等から構成され、制御プログラム、当該プログラムの実行に必要なパラメータやファイル等を記憶している。
【００７５】
メディアドライブ８５は、制御部８１からの制御信号に基づき、メディアＭに各種データを書き込む。また、メディアドライブ８５は、制御部８１からの制御信号に基づき、メディアＭに記憶されているデータを読み出す。
【００７６】
制御部８１は、メディアドライブ８５を介して、メディアＭから断層画像データファイル群、検査準備情報、患者用仮想内視鏡ビューワプログラム１５２を読み込む。
【００７７】
制御部８１は、患者用仮想内視鏡ビューワプログラム１５２と協働して、メディアＭに記憶された断層画像データファイル群に基づいて、断層画像やその断層画像に関する付帯情報を表示部８３に表示させる。
【００７８】
制御部８１は、患者用仮想内視鏡ビューワプログラム１５２と協働して、メディアＭに記憶された断層画像データファイル群から複数枚分の連続した断層画像データを読み出す。制御部８１は、ボクセル表現の手法を用い、複数枚分の連続した断層画像データに基づいて、患者の身体に相当する画像データを小さい立方体（ボクセルデータ）の集合で表す。制御部８１は、各ボクセルデータとそのボクセルデータの放射線吸収量のデータとに基づいて、患者の身体に相当する３次元ボリュームデータを構築する。そして、制御部８１は、ボリュームレンダリング等の手法を用いて、３次元ボリュームデータに基づいて仮想内視鏡画像を生成し、その仮想内視鏡画像を表示部８３に表示させる。つまり、制御部８１は、患者用仮想内視鏡ビューワプログラム１５２と協働して、仮想内視鏡ビューワ機能を実現する。
【００７９】
制御部８１は、患者用仮想内視鏡ビューワプログラム１５２と協働して、メディアＭに記憶された検査準備情報を表示部８３に表示させる。
【００８０】
[Ａ病院医用画像システムにおける各装置の具体的な動作]
次に、Ａ病院医用画像システム１００において実行される各装置の具体的な動作について図７を用いて説明する。
【００８１】
まず、内視鏡検査を予定する患者の仮想内視鏡画像の読影を行うために、読影医は、図示しない電子カルテシステムにおいて入力操作を行う。そして、電子カルテシステムは、放射線検査オーダ情報を生成し、当該放射線検査オーダ情報をＲＩＳ２０に送信する。ＲＩＳ２０は、当該放射線検査オーダ情報をモダリティ４０と放射線画像サーバ３０に送信する。モダリティ４０は、ＲＩＳ２０から受信した放射線検査オーダ情報に基づいて撮影等を行い、断層画像データファイル群を生成する。そして、モダリティ４０は、当該断層画像データファイル群を放射線画像サーバ３０に送信する。放射線画像サーバ３０は、断層画像データファイル群を記憶管理する。
【００８２】
次に、読影医は、ワークステーション１０の操作部１２に対して、入力操作を行う。この入力操作により、ワークステーション１０の制御部１１は、操作部１２からの操作信号に基づいて、放射線画像サーバ３０に断層画像データ取得要求を通信部１４を介して送信する（ステップＳ１）。この断層画像データ取得要求は、内視鏡検査対象患者の検査対象部位の複数枚分の断層画像データを取得する旨の要求である。
【００８３】
放射線画像サーバ３０の制御部３１は、通信部３４を介して、ワークステーション１０から断層画像データ取得要求を受信すると、当該断層画像データ取得要求に応じた断層画像データファイル群を記憶部３５から読み出す。そして、制御部３１は、通信部３４を介して、当該読み出した断層画像データファイル群をワークステーション１０に送信する（ステップＳ２）。
【００８４】
ワークステーション１０の制御部１１は、医師用仮想内視鏡ビューワプログラム１５１と協働して、放射線画像サーバ３０から受信（取得）した断層画像データファイル群に基づいて、３次元ボリュームデータを構築する（ステップＳ３）。そして、制御部１１は、３次元ボリュームデータに基づいて仮想内視鏡画像を生成し、表示部１３に表示する（ステップＳ４）。この仮想内視鏡画像は、内視鏡検査対象患者の検査対象部位を立体的に示す画像である。制御部１１は、医師用仮想内視鏡画面１３１を表示部１３に表示する。
【００８５】
図８に、医師用仮想内視鏡画面１３１の画面例を示す。図８に示すように、医師用仮想内視鏡画面１３１は、レポート保存ボタンｂ１、メディア書込ボタンｂ２、仮想内視鏡画像表示領域ｅ１、付帯情報表示領域ｅ２、読影レポート作成領域ｅ３、内視鏡検査準備コメント作成領域ｅ４等から構成される。
【００８６】
仮想内視鏡画像表示領域ｅ１は、仮想内視鏡画像を表示する領域である。この仮想内視鏡画像は、放射線画像サーバ３０から取得した断層画像データファイル群に基づいた画像である。
【００８７】
付帯情報表示領域ｅ２は、放射線画像サーバ３０から取得した断層画像データファイル群の付帯情報を表示する領域である。具体的に、「患者ＩＤ」「患者名」「性別」「生年月日」「読影医」「検査部位」等の項目が表示される。
【００８８】
読影レポート作成領域ｅ３は、仮想内視鏡画像表示領域ｅ１に表示されている仮想内視鏡画像に対する読影レポートを作成するための領域である。ユーザは、この読影レポート作成領域ｅ３に文字列を入力し、読影レポートを作成する。
【００８９】
レポート保存ボタンｂ１は、読影レポート情報を保存するためのボタンである。ユーザが、レポート保存ボタンｂ１を押下すると、制御部１１は、読影レポート作成領域ｅ３において作成された読影レポートの文字情報に基づいて読影レポート情報を生成し、当該読影レポート情報を読影レポート情報ファイルとして記憶部１５に保存する。
【００９０】
内視鏡検査準備コメント作成領域ｅ４は、仮想内視鏡画像表示領域ｅ１に表示されている仮想内視鏡画像に関する内視鏡検査の検査概要、検査前日及び当日に患者がするべきこと等を示すコメントを作成するための領域である。ユーザは、この内視鏡検査準備コメント作成領域ｅ４に文字列を入力し、コメントを作成する。
【００９１】
メディア書込ボタンｂ２は、検査準備情報等をメディアＭに書き込むためのボタンである。ユーザが、メディア書込ボタンｂ２を押下すると、制御部１１は、記憶部１５に記憶されている読影レポート情報ファイルと、内視鏡検査準備コメント作成領域ｅ４において作成されたコメント（文字情報）とに基づいて、検査準備情報を生成する。そして、制御部１１は、記憶部１５から患者用仮想内視鏡ビューワプログラム１５２を読み出す。そして、制御部１１は、生成した検査準備情報と、読み出した患者用仮想内視鏡ビューワプログラム１５２と、放射線画像サーバ３０から取得した断層画像データファイル群とをメディアＭにメディアドライブ１６を介して書き込む。
【００９２】
図７に戻り、読影医等のユーザは、医師用仮想内視鏡画面１３１の読影レポート作成領域ｅ３に文字列を入力し、レポート保存ボタンｂ１を押下する。この押下により、制御部１１は、医師用仮想内視鏡ビューワプログラム１５１と協働して、表示部１３に表示された仮想内視鏡画像に対する読影レポート情報を生成する（ステップＳ５）。制御部１１は、生成した読影レポート情報を読影レポート情報ファイルとして記憶部１５に保存する。
【００９３】
ユーザは、医師用仮想内視鏡画面１３１の内視鏡検査準備コメント作成領域ｅ４に文字列を入力し、メディア書込ボタンｂ２を押下する。この押下により、制御部１１は、医師用仮想内視鏡ビューワプログラム１５１と協働して、記憶部１５に記憶されている読影レポート情報ファイルと、内視鏡検査準備コメント作成領域ｅ４において作成されたコメント（文字情報）とに基づいて、検査準備情報を生成する（ステップＳ６）。
【００９４】
そして、制御部１１は、記憶部１５から患者用仮想内視鏡ビューワプログラム１５２を読み出す。制御部１１は、生成した検査準備情報と、読み出した患者用仮想内視鏡ビューワプログラム１５２と、放射線画像サーバ３０から取得した断層画像データファイル群とをメディアＭにメディアドライブ１６を介して書き込む（ステップＳ７）。以上で処理が終了する。読影医は、メディアＭを患者に渡す。患者は、メディアＭを自宅に持ち帰る。
【００９５】
[メディアを読み込んだ汎用ＰＣ端末等の具体的な動作]
次に、メディアＭから、ワークステーション１０において書き込まれたデータ（断層画像データファイル群、検査準備情報、患者用仮想内視鏡ビューワプログラム１５２）を読み込んだ場合に、汎用ＰＣ端末８０が実行する処理の具体的な動作について図９を用いて説明する。
【００９６】
まず、汎用ＰＣ端末８０のメディアドライブ８５に、患者により持ち運ばれたメディアＭがセットされると、汎用ＰＣ端末８０の制御部８１は、メディアＭがセットされたことを検知する。そして、制御部８１は、メディアドライブ８５を介して、メディアＭから断層画像データファイル群と、検査準備情報と、患者用仮想内視鏡ビューワプログラム１５２とを読み出し、記憶部８４に一時記憶させる（ステップＳ１０１）。この断層画像データファイル群に含まれるデータは、内視鏡検査対象患者の検査対象部位の複数枚分の断層画像データである。尚、メディアＭに記憶された各種データを記憶部８４に一時記憶させず、制御部８１が、必要に応じてメディアＭから各種データを直接読み込み、ＲＡＭに展開する構成としてもよい。
【００９７】
制御部８１は、患者用仮想内視鏡ビューワプログラム１５２を記憶部８４から読み出す。つまり、制御部８１は、患者用仮想内視鏡ビューワプログラム１５２を起動する（ステップＳ１０２）。
【００９８】
制御部８１は、患者用仮想内視鏡ビューワプログラム１５２と協働して、メディアＭから読み込んだ断層画像データファイル群に基づいて、３次元ボリュームデータを構築する（ステップＳ１０３）。制御部８１は、３次元ボリュームデータに基づいて仮想内視鏡画像を生成し、表示部８３に表示する（ステップＳ１０４）。制御部８１は、生成手段として機能する。この仮想内視鏡画像は、内視鏡検査対象患者の検査対象部位を立体的に示す画像である。制御部８１は、患者用仮想内視鏡画面８３１を表示部８３に表示する。
【００９９】
図１０に、患者用仮想内視鏡画面８３１の画面例を示す。図１０に示すように、患者用仮想内視鏡画面８３１は、説明ボタンｂ６、仮想内視鏡画像表示領域ｅ６、付帯情報表示領域ｅ７等から構成される。
【０１００】
仮想内視鏡画像表示領域ｅ６は、仮想内視鏡画像を表示する領域である。この仮想内視鏡画像は、メディアＭから読み出した断層画像データファイル群に基づいた画像である。
【０１０１】
付帯情報表示領域ｅ７は、メディアＭから読み出した断層画像データファイル群の付帯情報を表示する領域である。具体的に、「患者ＩＤ」「患者名」「性別」「生年月日」「読影医」「検査部位」等の項目が表示される。
【０１０２】
説明ボタンｂ６は、検査準備情報を表示するためのボタンである。ユーザが説明ボタンｂ６を押下すると、制御部８１は、内視鏡検査準備情報画面８３２（図１１参照）を表示部８３に表示する。
【０１０３】
図９に戻り、患者等のユーザは、患者用仮想内視鏡画面８３１の説明ボタンｂ６を押下する入力操作を行う。この入力操作により、制御部８１は、メディアＭから読み込んだ検査準備情報を表示部８３に表示する（ステップＳ１０５）。制御部８１は、内視鏡検査準備情報画面８３２を表示部８３に表示する。
【０１０４】
図１１に、内視鏡検査準備情報画面８３２の画面例を示す。図１１に示すように、内視鏡検査準備情報画面８３２には、検査準備情報が表示される。具体的に、「前日の準備」「当日の準備」「読影レポート」の欄が表示され、各欄に文字情報が表示される。
【０１０５】
図９に戻り、以上で処理が終了する。患者は、仮想内視鏡画像や検査準備情報を参照し、後日の内視鏡検査の準備を行う。
【０１０６】
以上、本実施の形態によれば、メディアＭに記憶された患者用仮想内視鏡ビューワプログラム１５２を読み込んだ汎用ＰＣ端末８０は、メディアＭに記憶された検査準備情報と断層画像データファイル群（内視鏡検査対象患者の検査対象部位の複数枚分の断層画像データ）とを読み出す。汎用ＰＣ端末８０は、読み出した断層画像データに基づいて仮想内視鏡画像を生成する。汎用ＰＣ端末８０は、検査準備情報と生成した仮想内視鏡画像とを表示部８３に表示させる。
【０１０７】
そのため、内視鏡検査対象患者は、内視鏡検査の前日等に、自宅に設置されている汎用ＰＣ端末８０で、検査準備情報や仮想内視鏡画像を閲覧することができる。よって、内視鏡検査前における検査準備情報の提供に関する利便性を向上させ、且つ内視鏡検査に対する患者の不安を軽減させることができる。更に、検査対象部位の断層画像データも得ることができる。
【０１０８】
また、検査準備情報には仮想内視鏡画像に対応する読影レポート情報が含まれる。そのため、内視鏡検査対象患者は、自宅で仮想内視鏡画像の読影レポートを参照することができる。
【０１０９】
[変形例]
以下、本実施の形態の変形例について説明する。
【０１１０】
ワークステーション１０の制御部１１は、メディアＭに、断層画像データファイル群、検査準備情報、患者用仮想内視鏡ビューワプログラム１５２を書き込む代わりに、医師用仮想内視鏡ビューワプログラム１５１との協働により生成した仮想内視鏡画像と検査準備情報、患者用仮想内視鏡ビューワプログラム１５２を書き込む。
【０１１１】
図１２に、このメディアＭが記憶するデータを示す。メディアＭは、仮想内視鏡画像、その内視鏡検査についての検査準備情報、患者用仮想内視鏡ビューワプログラム１５２を記憶する。
【０１１２】
本変形例における患者用仮想内視鏡ビューワプログラム１５２とは、当該プログラムを読み込むコンピュータを主に以下のように機能させるためのプログラムである。即ち、このコンピュータは、メディアＭに記憶された仮想内視鏡画像と、メディアＭに記憶された検査準備情報とを画面に表示する。
【０１１３】
[Ａ病院医用画像システムにおける各装置の具体的な動作]
次に、Ａ病院医用画像システム１００において実行される各装置の具体的な動作について図１３を用いて説明する。
【０１１４】
まず、内視鏡検査を予定する患者の仮想内視鏡画像の読影を行うために、読影医は、図示しない電子カルテシステムにおいて入力操作を行う。そして、電子カルテシステムは、放射線検査オーダ情報を生成し、当該放射線検査オーダ情報をＲＩＳ２０に送信する。ＲＩＳ２０は、当該放射線検査オーダ情報をモダリティ４０と放射線画像サーバ３０に送信する。モダリティ４０は、ＲＩＳ２０から受信した放射線検査オーダ情報に基づいて撮影等を行い、断層画像データファイル群を生成する。そして、モダリティ４０は、当該断層画像データファイル群を放射線画像サーバ３０に送信する。放射線画像サーバ３０は、断層画像データファイル群を記憶管理する。
【０１１５】
次に、読影医は、ワークステーション１０の操作部１２に対して、入力操作を行う。この入力操作により、ワークステーション１０の制御部１１は、操作部１２からの操作信号に基づいて、放射線画像サーバ３０に断層画像データ取得要求を通信部１４を介して送信する（ステップＳ２０１）。
【０１１６】
放射線画像サーバ３０の制御部３１は、通信部３４を介して、ワークステーション１０から断層画像データ取得要求を受信すると、当該断層画像データ取得要求に応じた断層画像データファイル群を記憶部３５から読み出す。そして、制御部３１は、通信部３４を介して、当該読み出した断層画像データファイル群をワークステーション１０に送信する（ステップＳ２０２）。
【０１１７】
ワークステーション１０の制御部１１は、医師用仮想内視鏡ビューワプログラム１５１と協働して、放射線画像サーバ３０から受信（取得）した断層画像データファイル群に基づいて、３次元ボリュームデータを構築する（ステップＳ２０３）。そして、制御部１１は、３次元ボリュームデータに基づいて仮想内視鏡画像を生成し、表示部１３に表示する（ステップＳ２０４）。制御部１１は、医師用仮想内視鏡画面１３１を表示部１３に表示する。
【０１１８】
読影医等のユーザは、医師用仮想内視鏡画面１３１の読影レポート作成領域ｅ３に文字列を入力し、レポート保存ボタンｂ１を押下する。この押下により、制御部１１は、医師用仮想内視鏡ビューワプログラム１５１と協働して、表示部１３に表示された仮想内視鏡画像に対する読影レポート情報を生成する（ステップＳ２０５）。制御部１１は、生成した読影レポート情報を読影レポート情報ファイルとして記憶部１５に保存する。
【０１１９】
ユーザは、医師用仮想内視鏡画面１３１の内視鏡検査準備コメント作成領域ｅ４に文字列を入力し、メディア書込ボタンｂ２を押下する。この押下により、制御部１１は、医師用仮想内視鏡ビューワプログラム１５１と協働して、記憶部１５に記憶されている読影レポート情報ファイルと、内視鏡検査準備コメント作成領域ｅ４において作成されたコメント（文字情報）とに基づいて、検査準備情報を生成する（ステップＳ２０６）。
【０１２０】
そして、制御部１１は、記憶部１５から患者用仮想内視鏡ビューワプログラム１５２を読み出す。制御部１１は、生成した検査準備情報と、読み出した患者用仮想内視鏡ビューワプログラム１５２と、生成した仮想内視鏡画像とをメディアＭにメディアドライブ１６を介して書き込む（ステップＳ２０７）。以上で処理が終了する。読影医は、メディアＭを患者に渡す。患者は、メディアＭを自宅に持ち帰る。
【０１２１】
[メディアを読み込んだ汎用ＰＣ端末等の具体的な動作]
次に、メディアＭから、ワークステーション１０において書き込まれたデータ（仮想内視鏡画像、検査準備情報、患者用仮想内視鏡ビューワプログラム１５２）を読み込んだ場合に、汎用ＰＣ端末８０等が実行する処理の具体的な動作について図１４を用いて説明する。
【０１２２】
まず、汎用ＰＣ端末８０のメディアドライブ８５に、患者により持ち運ばれたメディアＭがセットされると、汎用ＰＣ端末８０の制御部８１は、メディアＭがセットされたことを検知する。そして、制御部８１は、メディアドライブ８５を介して、メディアＭから仮想内視鏡画像と、検査準備情報と、患者用仮想内視鏡ビューワプログラム１５２とを読み出し、記憶部８４に一時記憶させる（ステップＳ３０１）。尚、メディアＭに記憶された各種データを記憶部８４に一時記憶させず、制御部８１が、必要に応じてメディアＭから各種データを直接読み込み、ＲＡＭに展開する構成としてもよい。
【０１２３】
制御部８１は、患者用仮想内視鏡ビューワプログラム１５２を記憶部８４から読み出す。つまり、制御部８１は、患者用仮想内視鏡ビューワプログラム１５２を起動する（ステップＳ３０２）。
【０１２４】
制御部８１は、患者用仮想内視鏡ビューワプログラム１５２と協働して、メディアＭから読み込んだ仮想内視鏡画像を表示部８３に表示する（ステップＳ３０３）。制御部８１は、患者用仮想内視鏡画面８３１を表示部８３に表示する。
【０１２５】
患者等のユーザは、患者用仮想内視鏡画面８３１の説明ボタンｂ６を押下する入力操作を行う。この入力操作により、制御部８１は、メディアＭから読み込んだ検査準備情報を表示部８３に表示する（ステップＳ３０４）。制御部８１は、内視鏡検査準備情報画面８３２を表示部８３に表示する。以上で処理が終了する。患者は、仮想内視鏡画像や検査準備情報を参照し、後日の内視鏡検査の準備を行う。
【０１２６】
以上、本変形例によれば、メディアＭに記憶された患者用仮想内視鏡ビューワプログラム１５２を読み込んだ汎用ＰＣ端末８０は、メディアＭに記憶された検査準備情報と仮想内視鏡画像とを読み出す。汎用ＰＣ端末８０は、読み出した検査準備情報と仮想内視鏡画像とを表示部８３に表示させる。
【０１２７】
そのため、内視鏡検査対象患者は、内視鏡検査の前日等に、自宅に設置されている汎用ＰＣ端末８０で、検査準備情報や仮想内視鏡画像を閲覧することができる。よって、内視鏡検査前における検査準備情報の提供に関する利便性を向上させ、且つ内視鏡検査に対する患者の不安を軽減させることができる。
【０１２８】
尚、本実施の形態における記述は、本発明に係る医用画像システムの一例であり、これに限定されるものではない。システムを構成する各装置の細部構成及び細部動作に関しても適宜変更可能である。
【０１２９】
また、本実施の形態では、プログラムを格納したコンピュータ読み取り可能な媒体としてハードディスクや可搬型記憶媒体を使用した例を開示したが、この例に限定されない。その他のコンピュータ読み取り可能な媒体として、フラッシュメモリ等の不揮発性メモリ等を適用することが可能である。また、プログラムのデータを通信回線を介して提供する媒体として、キャリアウェーブ（搬送波）も適用可能である。
【図面の簡単な説明】
【０１３０】
【図１】本発明における医用画像システムのシステム構成図である。
【図２】断層画像データファイルのデータ構成図である。
【図３】放射線画像サーバのブロック図である。
【図４】ワークステーションのブロック図である。
【図５】メディアに記憶されているデータのデータ構成図である。
【図６】汎用ＰＣ端末のブロック図である。
【図７】Ａ病院医用画像システムにおいて実行される処理を示すラダーチャートである。
【図８】医師用仮想内視鏡画面の画面例である。
【図９】汎用ＰＣ端末において実行される処理を示すフローチャートである。
【図１０】患者用仮想内視鏡画面の画面例である。
【図１１】内視鏡検査準備情報画面の画面例である。
【図１２】メディアに記憶されているデータのデータ構成図である。
【図１３】Ａ病院医用画像システムにおいて実行される処理を示すラダーチャートである。
【図１４】汎用ＰＣ端末において実行される処理を示すフローチャートである。
【符号の説明】
【０１３１】
１        医用画像システム
１０      ワークステーション
１１      制御部
１２      操作部
１３      表示部
１４      通信部
１５      記憶部
１６      メディアドライブ
１７      バス
２０      ＲＩＳ
３０      放射線画像サーバ
３１      制御部
３２      操作部
３３      表示部
３４      通信部
３５      記憶部
３６      バス
４０      モダリティ
５０      ＥＩＳ
６０      内視鏡画像サーバ
７０      内視鏡装置
８０      汎用ＰＣ端末
８１      制御部
８２      操作部
８３      表示部
８４      記憶部
８５      メディアドライブ
８６      バス
１００    Ａ病院医用画像システム
１３１    医師用仮想内視鏡画面
１５１    医師用仮想内視鏡ビューワプログラム
１５２    患者用仮想内視鏡ビューワプログラム
８３１    患者用仮想内視鏡画面
８３２    内視鏡検査準備情報画面
ｂ１      レポート保存ボタン
ｂ２      メディア書込ボタン
ｂ６      説明ボタン
ｅ１      仮想内視鏡画像表示領域
ｅ２      付帯情報表示領域
ｅ３      読影レポート作成領域
ｅ４      内視鏡検査準備コメント作成領域
ｅ６      仮想内視鏡画像表示領域
ｅ７      付帯情報表示領域
Ｍ        メディア
Ｎ        通信ネットワーク
【図１】
2010069041.tif 000003
【図２】
2010069041.tif 000004
【図３】
2010069041.tif 000005
【図４】
2010069041.tif 000006
【図５】
2010069041.tif 000007
【図６】
2010069041.tif 000008
【図７】
2010069041.tif 000009
【図９】
2010069041.tif 000010
【図１１】
2010069041.tif 000011
【図１２】
2010069041.tif 000012
【図１３】
2010069041.tif 000013
【図１４】
2010069041.tif 000014
【図８】
2010069041.tif 000015
【図１０】
2010069041.tif 000016